(57)【要約】      （修正有）【課題】多機能ラジオ受信機の機能を増やして電池の残留容量を測定表示させたもので、災害時や緊急時にも手軽に手持ちの電池の残留容量を調べることを可能にした多機能ラジオ受信機を提供する。【解決手段】本体に被測定電池の残留容量測定するための電池チェックレバー３を備え、電池チェックレバー３は被測定電池の＋極に接触させるための可動接点３ａを有しており、本体１の横には被測定電池の−極と接触させるための固定接点３ｂを備えており、電池チェックレバー３を上下に可動させて被測定電池の＋極および−極に接触させることにより各種類の電池に対しても電池の残留容量を測定表示ができ、ラジオ音量を表示する。【選択図】図２
0003139656.tif 000002
【実用新案登録請求の範囲】
【請求項１】
電池の残留容量の測定表示とラジオ音量の表示とを切換えるメータ切換えスイッチを備え、多機能ラジオ受信機の本体に、電池の消耗を測定する電池チェックレバーを有しており電池の残留容量が測定でき、ラジオ音量を表示することができることを特徴とする多機能ラジオ受信機。
【請求項２】
前記電池チェックレバーは前記本体の横に軸支して、前記本体から上下に可動するようにし、各寸法の電池に対応した構造を有しており、電池チェックレバーは電池の＋極に接触させるための可動接点を有しており、前記本体の横には電池の−極を接触させるための固定接点を備えており、被測定電池の残留容量測定時には負荷抵抗と被測定電池を並列に接続し、被測定電池が実用に耐えるかを確認できることを特徴とする請求項１記載の多機能ラジオ受信機。
【請求項３】
前記電池の残留容量の測定表示およびラジオ音量の表示を、発光ダイオードを数個程度並べたＬＥＤ表示装置とし、前記ＬＥＤ表示装置の電源は前記メータ切換えスイッチより供給することを特徴とする請求項１または請求項２記載の多機能ラジオ受信機。
【考案の詳細な説明】
【技術分野】
【０００１】
本考案は、多機能ラジオ受信機の本体に電池チェックレバーとその電圧を表示する装置に関するものである。
【背景技術】
【０００２】
通常、多機能ラジオ受信機には手回し発電機、携帯電話充電、サイレン、ライトなどの多機能ラジオ受信機などは今までにも多く出回っており、災害時には上記の機能も有効であった。
【０００３】
例えば、特許文献１、記載のように乾電池の残留容量を測る乾電池チェッカだけの機能を持つ乾電池チェッカは色々な方式や形状が提案されており、また、測定した乾電池の残留容量を表示する方法もメータ、発光ダイオード、フィルム形式、音声による報知、などが電池チェッカとして提案されている。
【０００４】
【特許文献１】実開平５−４７８７８号公報
【考案の開示】
【考案が解決しようとする課題】
【０００５】
しかし、上記何れの提案も多機能ラジオ受信機だけであったり、電池チェッカだけであったりと別々に保管していては、小型の電池チェッカなどは紛失してしまうという問題がある。
【０００６】
本考案者は上記問題点を解消し、多機能ラジオ受信機の本体に、レバー式の電池チェッカを設け手軽に手持ちの色々な種類の電池の残留容量を測定し、ラジオ音量表示と電池の残留容量の測定表示を兼ねている。
【課題を解決するための手段】
【０００７】
本考案の多機能ラジオ受信機は、請求項１において電池残留容量の測定表示とラジオ音量の表示とを切換えるメータ切換えスイッチを備え、前記本体に、上下に可動する電池チェックレバーを有しており、スイッチの切換えで電池残留容量とラジオ音量が表示することができる。
【０００８】
請求項２において、前記電池チェックレバーは前記本体の横に軸支して、前記本体から上下に可動するようにし、各寸法の電池に対応した構造を有しており、電池チェックレバーは電池の＋極に接触させるための可動接点を有しており、前記本体の横には電池の−極を接触させるための固定接点を備えており、被測定電池の残留容量測定時には負荷抵抗と被測定電池を並列に接続し、被測定電池が実用に耐えるかを確認できる。
【０００９】
請求項３において、電池の残留容量の測定表示およびラジオ音量の表示を、発光ダイオードを数個程度並べたＬＥＤ表示装置とし、前記ＬＥＤ表示装置の電源は前記メータ切換えスイッチより供給する。
【考案の効果】
【００１０】
本考案の多機能ラジオ受信機は、手回し発電機、携帯電話充電、サイレン、ライト、及び通常のラジオ放送の聴取は勿論できるが、多機能ラジオ受信機の本体の横に上下に可動する電池チェックレバーを設けたので、手持ちの各種類の電池残留容量を測定できる。
【考案を実施するための最良の形態】
【００１１】
以下、本考案の実施形態を多機能ラジオ受信機の図面に基づいて説明する。
【００１２】
（実施形態１）
図１から図３は本実施形態に係る多機能ラジオ受信機を示す斜視図であり、図４から図６はそれぞれ多機能ラジオの右横面、左横面および裏面を示した図であり、図７は回路概念図である。
【００１３】
多機能ラジオ受信機の本体１の上面には持ち手２が設けられている。この本体１の左横のコーナに電池チェックレバー３を収容する凹部２３が形成されており、凹部２３の一端(本体１の上面側)には電池チェックレバー３にピン２２を挿入して本体１の上下方向に可動自在となるように電池チェックレバー３を本体１の上面に軸支している。このように、電池チェックレバー３はこのピン２２を支点にして上下に可動する構造を備え、通常は本体１の凹部２３に収納されており、電池チェックレバー３が本体１から突出しないためラジオの聴取や持ち運びの際には邪魔にならず、災害時に有効である。
【００１４】
電池チェックレバー３の先端には可動接点３ａが設けられており、本体１の凹部２３の他端（本体１の側面側）に固定接点３ｂが設けられている。
【００１５】
ピン２２を支点にして電池チェックレバー３を可動させて上方位置にあるとき（図２参照）、本体１の凹部２３の固定接点３ｂに単１、単２、単３、単４、単５など各種の乾電池（被測定電池）の−極を接触させることができるようになっている。すなわち、上記被測定電池の残留容量を測定するときには、電池チェックレバー３を下げて可動接点３ａを被測定電池の＋極に接触させ、固定接点３ｂには被測定電池の−極を接触させ被測定電池を通電する構造になっている。
【００１６】
また、メータ切換えスイッチ５を電池の残留容量に切換えて電池チェックレバー３を可動することにより、メータ１２は電池の残留容量の測定表示をさせたり、メータ切換えスイッチ５をラジオ音量に切換えることによりＶＵメータにてラジオの音声出力の強さすなわちラジオ音量の表示をさせたりすることができる。
【００１７】
さらに、本多機能ラジオ受信機の本体１には携帯電話充電機能回路（図７参照）を有しており、携帯電話充電端子１８に充電コード（図示せず）を接続し、ダイナモハンドル１６を回すことにより携帯電話に充電することが可能となり、イヤホン端子１７にイヤホン（図示せず）を接続するとラジオのスピーカ１４は断となりイヤホンが使用でき、ラジオ放送同調ツマミ１５で放送を選局し、放送を受信した時は同調指示発光ダイオード１３が点灯する。なお、１９はロッドアンテナである。また、図６において、２０は本多機能ラジオ受信機の電源電池用の電池蓋である。
【００１８】
図５で示すように本体１のライトＯＮ、ＯＦＦ切換えスイッチ７でライト部４のライトのＯＮ、ＯＦＦを切換えることができる。
【００１９】
図１で示すようにサイレンＯＮ、ＯＦＦ切換えスイッチ６でサイレンのＯＮ、ＯＦＦを行い、乾電池、ニカド電池切換えスイッチ８でニカド電池と乾電池の切換えを行い、ＡＭ、ＦＭバンド切換えスイッチ９にて周波数表示パネル１１で表示されるＡＭ、ＦＭバンドの切換えを行い、図７の回路構成にて、ボリューム１０でラジオの電源のＯＮ、ＯＦＦとラジオの音量の大きさを変えている。
【００２０】
（実施形態２）
図８から図１０は本実施形態に係る多機能ラジオ受信機のメータ表示部の個所をＬＥＤ表示部に置き換えた図であり、電池チェックレバー３などの構成は実施形態１と同様である。
【００２１】
メータ１２は発光ダイオード素子を数個並べたＬＥＤ表示装置(図９においてはＬＥＤ表示回路)２１であり、被測定電池３ｃの電圧やラジオの音量を複数段階にレベル弁別するレベル弁別ＩＣを有し、メータ切換えスイッチ５により電池の残留容量の測定表示をしたりラジオ音量表示をしたりする。また、このＬＥＤ表示装置２１の電源はメータ切換えスイッチ５により供給される。
【図面の簡単な説明】
【００２２】
【図１】本考案の実施形態１を示す左斜視図である。
【図２】同上の電池チェックレバーを上げた状態の左斜視図である。
【図３】同上の電池測定状態を示した左斜視図である。
【図４】同多機能ラジオ受信機の右横面から見た図である。
【図５】同多機能ラジオ受信機の左横面から見た図である。
【図６】同多機能ラジオ受信機の裏面から見た図である。
【図７】本考案の実施形態１の回路概念図である。
【図８】本考案の実施形態２を示す左斜視図である。
【図９】本考案の実施形態２の回路概念図である。
【図１０】本考案の実施形態２のＬＥＤ表示装置回路図である。
【符号の説明】
【００２３】
１    本体
２    持ち手
３    電池チェックレバー
３ａ  可動接点
３ｂ  固定接点
３ｃ  被測定電池
４    ライト部
５    メータ切換えスイッチ
６    サイレンＯＮ、ＯＦＦ切換えスイッチ
７    ライトＯＮ、ＯＦＦ切換えスイッチ
８    乾電池、ニカド電池切換えスイッチ
９    ＡＭ、ＦＭバンド切換えスイッチ
１０  ボリューム
１１  周波数表示パネル
１２  メータ
１３  同調指示発光ダイオード
１４  スピーカ
１５  ラジオ放送同調ツマミ
１６  ダイナモハンドル
１７  イヤホン端子
１８  携帯電話充電端子
１９  ロッドアンテナ
２０  電池蓋
２１  ＬＥＤ表示装置
２２  ピン
２３  凹部
【図１】
0003139656.tif 000003
【図２】
0003139656.tif 000004
【図３】
0003139656.tif 000005
【図４】
0003139656.tif 000006
【図５】
0003139656.tif 000007
【図６】
0003139656.tif 000008
【図７】
0003139656.tif 000009
【図８】
0003139656.tif 000010
【図９】
0003139656.tif 000011
【図１０】
0003139656.tif 000012
【手続補正書】
【提出日】平成19年12月13日(2007.12.13)
【手続補正１】
【補正対象書類名】図面
【補正対象項目名】図１
【補正方法】変更
【補正の内容】
【図１】
0003139656.tif 000013
【手続補正２】
【補正対象書類名】図面
【補正対象項目名】図２
【補正方法】変更
【補正の内容】
【図２】
0003139656.tif 000014
【手続補正３】
【補正対象書類名】図面
【補正対象項目名】図３
【補正方法】変更
【補正の内容】
【図３】
0003139656.tif 000015
【手続補正４】
【補正対象書類名】図面
【補正対象項目名】図８
【補正方法】変更
【補正の内容】
【図８】
0003139656.tif 000016